(57)【要約】【課題】  使用時の開封性や口当りが良く、特にホット飲料に適用した場合、開封時に指がホット飲料に接触することなく、開口部を封止した封止フィルムを開封しうる封止シート開封用プラスチック製キャップを提供すること。【解決手段】  封止アルミシートで封止されたホット飲料用カップ型容器のフランジに冠着される封止シート開封用キャップであって、切刃を有する開封部材と、前記開封部材に連結され、前記開封部材の切刃を押し下げるためのレバー部材と、開封部材との間に形成されるヒンジを介して、前記開封部材とレバー部材とを連結・収容するための開口を有するキャップ本体とからなり、キャップ本体の開口には、開封部材の切刃を押し下げたとき、開封部材を開封位置で係止させるストッパーが立設されており、レバー部材には、開封後のレバー部材を初発位置に係止するための係合部が形成されている。【選択図】    図５
2006341919.tif 000002
【特許請求の範囲】
【請求項１】
封止アルミシート又は封止アルミ−樹脂フィルム複合材シートで開口部が封止されたホット飲料用カップ型容器の開口周端部に形成されたフランジに冠着される封止シート開封用キャップであって、前記封止シートを開封することができる切刃と、切刃の反対側に形成されたヒンジ形成垂直板とを有する開封作用板からなる開封部材と、ヒンジ形成垂直板の中央部分と対向する位置にヒンジ形成垂直部を有し、ヒンジ形成垂直板の中央部分とヒンジ形成垂直部とその間の薄肉部とから略Ｕ字状の溝部として構成される中央ヒンジを介して前記開封部材に連結され、前記封止シートを開封するために開封部材の切刃を押し下げるためのレバー部材と、開封部材のヒンジ形成垂直板の両端部との間に形成される端部ヒンジを介して、前記開封部材とレバー部材とを中央凹状に連結・収容するための開封部材−レバー部材収容開口を形成する開口垂直壁を有するキャップ本体とからなり、キャップ本体の開封部材収容開口を形成する開口垂直部には、開封部材の切刃を押し下げたとき、前記開封部材のヒンジ形成垂直板と係合して開封部材を開封位置で係止させる一対の突条からなる開封部材ストッパーが立設されており、レバー部材には開封部材及び／又はキャップ本体との係合により、開封後のレバー部材を飲用時の位置に係止するための係合部が形成されていることを特徴とするホット飲料の封止シート開封用プラスチック製キャップ。
【請求項２】
キャップ本体の側周面内面側に、ホット飲料用カップ型容器の開口周端部に形成されたフランジ端部のカール縁又は肉厚部分と密に嵌合するための周溝が形成されていることを特徴とする請求項１記載のホット飲料の封止シート開封用プラスチック製キャップ。
【請求項３】
キャップ本体の側周面に、ホット飲料用カップ型容器の開口周端部に形成されたフランジに冠着した封止シート開封用キャップを容易に取り外すための、所定の間隔で垂直状に設けられた２本の薄肉部が形成されていることを特徴とする請求項１又は２記載のホット飲料の封止シート開封用プラスチック製キャップ。
【請求項４】
開封部材に形成された切刃が、円弧状若しくは屋根状先端部から下向きに形成され、中央部分が両端部に比べて長く、両刃若しくは片刃状刃先を有する先端切刃と、左右側面から下向きに形成された先端鋸刃状切刃とから構成されていることを特徴とする請求項１〜３のいずれか記載のホット飲料の封止シート開封用プラスチック製キャップ。
【請求項５】
開封後のレバー部材を飲用時の位置に係止するための係合部が、開封部材のヒンジ形成垂直板の中央に垂直状に延設された凸片に係合する、レバー部材のヒンジ形成垂直部の中央に設けられたＬ字状の係合片であることを特徴とする請求項１〜４のいずれか記載のホット飲料の封止シート開封用プラスチック製キャップ。
【請求項６】
請求項１〜５のいずれか記載のホット飲料の封止シート開封用プラスチック製キャップが、ホット飲料が収納され、封止アルミシート又は封止アルミ−樹脂フィルム複合材シートで開口部が封止されたカップ型容器に冠着されていることを特徴とするカップ型容器入りホット飲料。
【請求項７】
カップ型容器の材質が、アルミ又はアルミ−樹脂フィルム複合材であることを特徴とする請求項６記載のカップ型容器入りホット飲料。
【発明の詳細な説明】
【技術分野】
【０００１】
本発明は、ホット飲料の封止シート開封用プラスチック製キャップや、該封止シート開封用プラスチック製キャップがカップ型容器に冠着されたカップ型容器入りホット飲料に関する。
【背景技術】
【０００２】
従来、果汁飲料、コーヒー、乳酸飲料、液体スープや酒類などの液体食品の分野では、円筒状の液体用容器が使用されている。かかる液体用容器として、使用時の使い易さから、開口部を封止した封止フィルムを開封しうる開封部材を備えた注口形成具を装着したものや、開口部を封止した封止フィルムの上に、該封止フィルムを開封しうる開封部材を備えた開封用キャップを冠着するものが提案されている。また、これら開封部材における開封機構としては、開封部材を直接押し込んで開封するタイプと、開封部材に接続された開封用レバー部材を引き上げることにより開封部材を押し下げて開封するタイプのものが知られている（例えば、特許文献１参照。）。
【０００３】
例えば、開封部材を直接押し込んで開封する開封部材を備えた注口形成具を装着した液体用容器としては、紙を主としたシートからなる液体用紙容器において、前記シートの少なくとも中央に直線状のミシン目又は切り目を入れた注出孔予定部を設け、該注出孔予定部の裏面に破断可能な封止フィルムが貼り付けられており、該注出孔予定部の表面に注出壁体と該注出壁体の下端から外方に向かって水平に設けられたフランジ部とからなり前記注出壁体の内壁に薄肉ヒンジを介して下面に突起状刃を有するを有する開封フラップが水平に設けられた口栓を取り付け、開封フラップを押し下げることにより注出孔予定部の少なくとも直線状のミシン目又は切り目から破って封止フィルムを貼られたシートを左右に開き開封フラップで係止して注出孔を形成することを特徴とする口栓付液体用紙容器（例えば、特許文献１参照）が知られている。
【０００４】
また、開封部材を直接押し込んで開封する開封部材を備えた開封用キャップを冠着する液体用容器としては、容器の上に取り付けられる開封部材を有し、枠体は切刃部材を収容可能な高さを有する短筒状をなして下端で容器の上端縁部に装着し、切刃部材は下方に突出する切刃を備えて天板部にヒンジ結合しており、切刃をヒンジの回転軸のまわりに変位させて蓋体を切断して開封する該蓋体の一部を簡易に開封することができると共に、蓋体の開口を定まった形状及び大きさで安定して行うことができる開封部材を備えた開封用キャップを冠着した液体用容器（例えば、特許文献２，３参照）が知られている。
【０００５】
また、開封部材に接続された開封用レバー部材を引き上げることにより開封部材を押し下げて開封する注口形成具を装着した液体用容器としては、容器の一部に開口を形成する開封部と、該開封部を操作する操作部と、該操作部を支持し前記容器に固定される支持部とを有し、相対向する前記開封部と操作部の間には、薄肉部を有する略Ｕ字状の溝部が設けられ、前記操作部は、前記溝部から所定寸法離れた位置の両側部に突設された支持軸部を介して前記支持部に連結支持され、前記開封部、操作部及び支持部は、前記薄肉部と支持軸部とを介して、一体成形される注口形成具を装着した液体用容器（例えば、特許文献４参照）が知られている。
【０００６】
また、開封部材に接続された開封用レバー部材を引き上げることにより開封部材を押し下げて開封する開封部材を備えた開封用キャップを冠着する液体用容器としては、凹状の天板のほぼ中央位置に支柱板を立設し、支柱板の前方近傍に底辺が支柱板に平行で頂角が丸い三角形状の前方切欠きを天板に設け、支柱板の後方に前方切欠きの底辺より幅が同じより大きい底辺をもつ四角形状の後方切欠きを設け、前方切欠き内に、底辺以外の周縁部の上面に当接壁を立設し下面に開封刃を垂設する頂角が丸い三角形状の開封板を、底辺以外の周囲に間隙をもたせて底辺を天板に接続し、後方切欠きより幅及び長さが同じより小さく幅が開封板の底辺より同じより大きい開封操作板を、支柱板の先端後方に接続して後方切欠き上方に設け、開封板と開封操作板の左右の天板の位置に突起壁を形成し、この突起壁間の前方周縁部に環状飲み口壁を設けて、前方に飲み口部を後方に指挿入口部を設けた開封用キャップを冠着した液体用容器（例えば、特許文献５参照）が知られている。
【０００７】
【特許文献１】実開平７−２２９２１号公報
【特許文献２】特開２００４−１２３１５５号公報
【特許文献３】特開２００５−２２７５７号公報
【特許文献４】特開平０９−３０１３５７号公報
【特許文献５】特開２００１−１９００３号公報
【発明の開示】
【発明が解決しようとする課題】
【０００８】
本発明の課題は、構造が簡単で使用時の開封性や口当りが良く、特にホット飲料に適用した場合、開封時に指がホット飲料に接触することなく、開口部を封止した封止フィルムを開封しうる開封部材が形成されたホット飲料の封止シート開封用プラスチック製キャップや、該開封用キャップが冠着されたカップ型容器入りホット飲料を提供することにある。また、カップ型容器の材質が、アルミ又はアルミ−フィルム複合材である場合に、分別回収が容易なホット飲料の封止シート開封用プラスチック製キャップを提供することにある。
【課題を解決するための手段】
【０００９】
本発明者らは、上記課題を解決するために、（１）ホット飲料の封止シート開封用プラスチック製キャップを、封止アルミシート又は封止アルミ−樹脂フィルム複合材シートで開口部が封止されたホット飲料用カップ型容器の開口周端部に形成されたフランジに冠着される封止シート開封用キャップであって、前記封止シートを開封することができる切刃と、切刃の反対側に形成されたヒンジ形成垂直板とを有する開封作用板からなる開封部材と、ヒンジ形成垂直板の中央部分と対向する位置にヒンジ形成垂直部を有し、ヒンジ形成垂直板の中央部分とヒンジ形成垂直部とその間の薄肉部とから略Ｕ字状の溝部として構成される中央ヒンジを介して前記開封部材に連結され、前記封止シートを開封するために開封部材の切刃を押し下げるためのレバー部材と、開封部材のヒンジ形成垂直板の両端部との間に形成される端部ヒンジを介して、前記開封部材とレバー部材とを中央凹状に連結・収容するための開封部材−レバー部材収容開口を形成する開口垂直壁を有するキャップ本体とからなり、キャップ本体の開封部材収容開口を形成する開口垂直部には、開封部材の切刃を押し下げたとき、前記開封部材のヒンジ形成垂直板と係合して開封部材を開封位置で係止させる一対の突条からなる開封部材ストッパーが立設されており、レバー部材には開封部材及び／又はキャップ本体との係合により、開封後のレバー部材を飲用時の位置に係止するための係合部が形成されている構成とした。
【００１０】
さらに、上記ホット飲料の封止シート開封用プラスチック製キャップにおいて、（２）キャップ本体の側周面内面側に、ホット飲料用カップ型容器の開口周端部に形成されたフランジ端部のカール縁又は肉厚部分と密に嵌合するための周溝が形成されている構成、（３）キャップ本体の側周面に、ホット飲料用カップ型容器の開口周端部に形成されたフランジに冠着した封止シート開封用キャップを容易に取り外すための、所定の間隔で垂直状に設けられた２本の薄肉部が形成されている構成、（４）開封部材に形成された切刃を、円弧状若しくは屋根状先端部から下向きに形成され、中央部分が両端部に比べて長く、両刃若しくは片刃状刃先を有する先端切刃と、左右側面から下向きに形成された先端鋸刃状切刃とした構成、（５）開封後のレバー部材を飲用時の位置に係止するための係合部が、開封部材のヒンジ形成垂直板の中央に垂直状に延設された凸片に係合する、レバー部材のヒンジ形成垂直部の中央に設けられたＬ字状の係合片であるとした構成、の１以上を採用することが好ましい。
【００１１】
また、（６）カップ型容器入りホット飲料を、上記のホット飲料の封止シート開封用プラスチック製キャップが、ホット飲料が収納され、封止アルミシート又は封止アルミ−樹脂フィルム複合材シートで開口部が封止されたカップ型容器に冠着されている構成とした。さらに、（７）カップ型容器入りホット飲料において、カップ型容器の材質をアルミ又はアルミ−フィルム複合材とする構成を採用することが好ましい。
【発明の効果】
【００１２】
本発明によると、構造が簡単で、開封部材やレバー部材を所定位置に固定することができるなど使用時の開封性が良く、特にホット飲料に適用した場合、開封時に指がホット飲料に接触することなく、開口部を封止した封止フィルムを開封しうる開封部材が形成されたホット飲料の封止シート開封用プラスチック製キャップや、該開封用キャップが冠着されたカップ型容器入りホット飲料を提供することができる。また、カップ型容器の材質が、アルミ又はアルミ−フィルム複合材である場合に、ホット飲料の封止シート開封用プラスチック製キャップを簡便に分別回収することができる。
【発明を実施するための最良の形態】
【００１３】
以下、本発明の実施の形態を図面に基づいて説明する。図１は本発明のホット飲料の封止シート開封用プラスチック製キャップが冠着されたカップ型容器の平面図、図２は同カップ型容器の正面図、図３は同カップ型容器の側面図、図４は同カップ型容器の背面図、図５は本発明のホット飲料の封止シート開封用プラスチック製キャップの斜視図、図６は同キャップの底面図、図７は図１のＡ−Ａ断面図（未開封状態）、図８は図１のＡ−Ａ断面図（開封状態）、図９は図１のＡ−Ａ断面図（飲用時の状態）、図１０は本発明のホット飲料の封止シート開封用プラスチック製キャップが冠着されたカップ型容器の斜視図（飲用時の状態）、図１１はカップ型容器の変形例である。以下、便宜上、図１における下方を先端、上方を後端という場合がある。
【００１４】
図７〜９に示されるように、ホット飲料用カップ型容器１の開口周端部には、その端部がカール縁３又は肉厚に形成されているフランジ２が形成されている。カップ型容器１にホット飲料（コーヒー、紅茶、日本茶、スープなど）が充填・収納された後、このフランジ２上面に封止アルミシート又は封止アルミ−樹脂フィルム複合材シート（以下「封止シート４」という）がヒートシール等により水密に固着され、容器の開口部が封止される。上記封止アルミ−樹脂フィルム複合材シートとしては、アルミニウム薄層にエチレン−α−オレフィン共重合体等のシーラント層がラミネートされたシートを例示することができる。また、カップ型容器１の材質としては、従来からこの種の容器に用いられている材質であれば特に制限されないが、アルミ又はアルミ−樹脂フィルム複合材であることが、封止シート４のアルミ材質と相俟って、分別回収の点で好ましい。カップ型容器１は、例えば、厚さ６０〜２００μｍのアルミニウム箔芯層とその両面に形成されたそれぞれ厚さ１〜３００μｍの合成樹脂被覆層からなる積層シートを多段深絞り成型することにより製造することができる（図１１参照）。
【００１５】
本発明のホット飲料の封止シート開封用プラスチック製キャップ５は、図２〜４及び図７〜１１に示されるように、封止シート４でカップ開口部が封止されたホット飲料用カップ型容器１のカップ開口周端部に形成されたフランジ２に冠着される。封止シート開封用プラスチック製キャップ５は、図１及び図５〜１０に示されているように、開封部材３０と、レバー部材４０と、これらを中央凹状に連結・収容するための開封部材−レバー部材収容開口を形成する開口垂直壁１１を有するキャップ本体１０とから構成されている。そして、図９に示されるように、飲用時には開封部材３０が押し下げられた部分が飲み口となる。封止シート開封用プラスチック製キャップ５の材質としては、ポリプロピレン等を例示することができ、また、封止シート開封用プラスチック製キャップ５はインジェクション成形等により製造することができる。
【００１６】
キャップ本体１０は、図５，１０に示すように、その中央に開口垂直壁１１により開封部材−レバー部材収容開口が形成されている円形天板部１２と、この円形天板部周縁から下方に延設された第１側周部１３と、この第１側周部より大径の第２側周部１４と、これら第１側周部と第２側周部とを平面視同心円上に形成するための段部１５から構成されている。円形天板部１２の開封部材−レバー部材収容開口の先端は第１側周部に達しており、図５，１０に示すように、第１側周部が開口垂直壁となるような薄厚部１６として構成されており、ホット飲料が飲みやすくなっている。また、円形天板部１２の開封部材−レバー部材収容開口の後端側には、開口垂直壁１１に連続的に設けられ、容器開封時にレバー部材４０のレバー作動板４５の下側に指を案内しうる窪み１７を設けることもできる。
【００１７】
開封部材３０とレバー部材４０との連結位置に相当する、開封部材−レバー部材収容開口を形成する開口垂直壁１１の左右両側には、図１０に示されるように、端部ヒンジ形成用突片１８が形成されている。この端部ヒンジ形成用突片１８と開封部材３０のヒンジ形成垂直板３１の両端部との間に薄肉部を介して形成される端部ヒンジ６により、キャップ本体１０と開封部材３０が連結される。また、開封部材３０のヒンジ形成垂直板３１の少し先端側に相当する、開封部材−レバー部材収容開口を形成する開口垂直壁１１の左右両側には、図１，６，１０に示されるように、その上方から下方に向かって突出高さが大きくされた突条からなる開封部材ストッパー１９が立設されている。この開封部材ストッパー１９と、開封時に回動させられた開封部材３０のヒンジ形成垂直板３１とが係合して、図９，１０に示すように、開封部材３０を開封位置で係止させることができる。
【００１８】
封止シート開封用キャップ５は、上記第２側周部１４でホット飲料用カップ型容器１の開口周端部に形成されたフランジ２に冠着されるが、この第２側周部内面側に、図７〜９に示すように、ホット飲料用カップ型容器１の開口周端部に形成されたフランジ端部のカール縁３又は肉厚部分と密に嵌合するための周溝２０を形成しておくこともできる。かかる周溝２０により、破断された封止シート４から流出したホット飲料が飲み口以外から外部に滲出することを防止することができる。また、図５に示すように、第２側周部１４に所定間隔で垂直状に２本の薄肉部２１を形成しておくと、飲用後にカップ型容器１からの封止シート開封用キャップ５の取り外しが容易となり、その結果、分別回収が促進されることになる。その際、上記２本の薄肉部間に相当する段部１５に薄肉溝２２を形成しておくと、飲用後にカップ型容器１からの封止シート開封用キャップ５の取り外しが一層容易になる。
【００１９】
開封部材３０は、開封作用板３２と、封止シート４を開封することができる切刃３３，３４（図６〜９）と、切刃３３，３４の反対側に形成されたヒンジ形成垂直板３１（図６〜１０）とを有するものであれば特に制限されず、切刃３３，３４は開封作用板の円弧状若しくは屋根状先端及び左右側面から下向きに形成され、ヒンジ形成垂直板３１は開封作用板の後端に形成されている。先端に形成された切刃３３の刃先は、両刃若しくは片刃又は鋸刃とすることができるが、先端の切刃３３はカップ型容器の封止シート４の開封動作において、封止シート４に初期破断を形成することから、中央部分が両端部に比べて長いＶ字状又はＵ字状の両刃若しくは片刃とすることが好ましい。これに対して、左右側面から下向きに形成される切刃の刃先３４は、初期破断部位を拡大するものであることから、両刃若しくは片刃とするよりも鋸刃とすることが好ましい。開封作用板上面にはその強度を増強させるために、図１，５に示すように、ほぼ中央部分に円形の凹部３５を形成させておくこともできる。開封作用板３２の後端に左右方向に長く下向きに形成されているヒンジ形成垂直板３１は、薄肉部を介して、その長手方向中央部分でレバー部材４０のヒンジ形成垂直部４１との略Ｕ字状の溝部として構成される中央ヒンジ７を、その長手方向両端部でキャップ本体１０の端部ヒンジ形成用突片１８との略Ｕ字状の溝部として構成される端部ヒンジ６を形成している。このヒンジ形成垂直板３１の長手方向両端部は、開封部材を開封位置で係止させる係合部としても機能する。
【００２０】
レバー部材４０は、レバー作動板４２とその先端に下向きに形成されたヒンジ形成垂直部４１を有するものであれば特に制限されず、レバー部材４０は、そのヒンジ形成垂直部４１と前記開封部材３０のヒンジ形成垂直板３１の中央部分との間の薄肉部とから略Ｕ字状の溝部として構成される中央ヒンジ７を介して前記開封部材３０に連結されている。このヒンジ形成垂直部４１は、レバー作動板４２を持ち上げたとき、前記開封部材３０のヒンジ形成垂直板３１にまず面で当接し、さらに持ち上げるとヒンジ形成垂直板３１を押圧して開封部材３０を端部ヒンジ６を回動軸として回動させて、その切刃３３，３４により封止シートの開封が行われる。また、レバー部材４０には、開封部材３０及び／又はキャップ本体１０との係合により、開封後のレバー部材４０を円形天板部１２よりカップ容器１の向きに凹んだ飲用時の位置に係止するための係合部４３，４４が形成されている。かかる開封後のレバー部材を飲用時の位置に係止するための係合部としては、図６，７に示される、開封部材３０のヒンジ形成垂直板３１の中央に垂直状に延設された凸片３６に係合する、レバー部材４０のヒンジ形成垂直部４１の中央に設けられた断面Ｌ字状の係合片４３や、図７，８，９に示される、キャップ本体１０の開封部材−レバー部材収容開口の後端に位置する窪み１７先端部分２３に係合する、レバー作動板４２の後端に設けられた断面Ｌ字状の係合片４４を例示することができる。かかる係合部４３，４４により、ホット飲料の飲用時に鼻がキャップ本体に接触することを回避することができ、ホット飲料が飲みやすくなっている。上記レバー作動板上面には、その強度を増強させるために、図１，５に示すように、ほぼ中央部分に長円形の凹部４５を形成させておくこともできる。さらに、レバー作動板上面後端側には、レバー部材を持ち上げやすくするための円弧状溝を４６設けることもできる。
【００２１】
次ぎに、図７〜９により、本発明の封止シート開封用プラスチック製キャップ５の動作を説明する。図７に示す未開封状態のキャップ５では、開封部材３０の開封作用板３２、及びレバー部材４０のレバー作動板４２が円形天板部１２より上方に突出せず、開封部材３０は開封部材連結体３７によって、またレバー部材４０は窪み１７との間に所定の間隔を有した状態でレバー部材連結体４７によって、それぞれキャップ本体１０に固定されている。まずレバー部材４０のレバー作動板４２を持ち上げて、レバー部材４０のヒンジ形成垂直部４１を開封部材３０のヒンジ形成垂直板３１に面当接させ、さらに持ち上げることにより、ヒンジ形成垂直板３１を押圧して開封部材３０を回動させて、その切刃３３，３４により封止シート４を開封し、回動した開封部材３０のヒンジ形成垂直板３１の両端部が、キャップ本体１０の開封部材−レバー部材収容開口を形成する開口垂直壁１１の左右両側に立設された開封部材ストッパー１９を撓めて係合し、開封部材３０を開封位置で係止させた後（図８）、レバー部材４０のレバー作動板４２を飲用時の位置まで押し倒し、レバー部材４０のヒンジ形成垂直部４１の中央に設けられた断面Ｌ字状の係合片４３を、開封部材３０のヒンジ形成垂直板３１の中央に垂直状に延設された凸片３６に係合させると同時に、レバー部材４０の後端に設けられた断面Ｌ字状の係合片４４を、キャップ本体１０の開封部材−レバー部材収容開口の後端に位置する窪み先端部分２３に係合させ飲み口を形成する（図９）。このように、未開封状態（図７）ではレバー作動板４２と窪み１７との間に所定の間隔が形成されているので、この間隔に容易に指を挿入して開封動作を行うことができる。また飲用時の状態（図９）では、レバー作動板４２が円形天板部１２より凹んだ状態に係合されているので、ホット飲料の飲用時に鼻がキャップ本体に接触することを回避することができ、ホット飲料が飲みやすくなっている。この状態でホット飲料を飲用し、飲み終わった後、キャップ本体１０の第２側周部１４に設けられた２本の第２側周部の薄肉部２１間を摘みあげて、封止シート開封用プラスチック製キャップ５をホット飲料用カップ型容器１から取り外す。
【図面の簡単な説明】
【００２２】
【図１】本発明のホット飲料の封止シート開封用プラスチック製キャップが冠着されたカップ型容器の平面図である。
【図２】本発明のホット飲料の封止シート開封用プラスチック製キャップが冠着されたカップ型容器の正面図である。
【図３】本発明のホット飲料の封止シート開封用プラスチック製キャップが冠着されたカップ型容器の側面図である。
【図４】本発明のホット飲料の封止シート開封用プラスチック製キャップが冠着されたカップ型容器の背面図である。
【図５】本発明のホット飲料の封止シート開封用プラスチック製キャップの斜視図である。
【図６】本発明のホット飲料の封止シート開封用プラスチック製キャップの底面図である。
【図７】図１のＡ−Ａ断面図（未開封状態）である。
【図８】図１のＡ−Ａ断面図（開封状態）である。
【図９】図１のＡ−Ａ断面図（飲用時の状態）である。
【図１０】本発明のホット飲料の封止シート開封用プラスチック製キャップが冠着されたカップ型容器の斜視図（飲用時の状態）である。
【図１１】本発明のカップ型容器の変形例を示す図である。
【符号の説明】
【００２３】
１  ホット飲料用カップ型容器
２  フランジ
３  フランジのカール縁
４  封止シート
５  封止シート開封用プラスチック製キャップ
６  端部ヒンジ
７  中央ヒンジ
１０  キャップ本体
１１  開口垂直壁
１２  円形天板部
１３  第１側周部
１４  第２側周部
１５  段部
１６  薄厚部
１７  円形天板部の窪み
１８  端部ヒンジ形成用突片
１９  開封部材ストッパー
２０  第２側周部内面側の周溝
２１  第２側周部の薄肉部
２２  段部の薄肉溝
２３  窪み先端部分
３０  開封部材
３１  ヒンジ形成垂直板
３２  開封作用板
３３  先端切刃
３４  両側切刃
３５  円形凹部
３６  ヒンジ形成垂直板の中央に垂直状に延設された凸片
３７  開封部材連結体
４０  レバー部材
４１  ヒンジ形成垂直部
４２  レバー作動板
４３  ヒンジ形成垂直部の中央に設けられたＬ字状の係合片
４４  レバー作動板の後端に設けられたＬ字状の係合片
４５  長円形の凹部
４６  円弧状溝
４７  レバー部材連結体
【図１】
2006341919.tif 000003
【図２】
2006341919.tif 000004
【図３】
2006341919.tif 000005
【図４】
2006341919.tif 000006
【図５】
2006341919.tif 000007
【図６】
2006341919.tif 000008
【図７】
2006341919.tif 000009
【図８】
2006341919.tif 000010
【図９】
2006341919.tif 000011
【図１０】
2006341919.tif 000012
【図１１】
2006341919.tif 000013